(57)【特許請求の範囲】
【請求項１】
戸先側端面が戸袋の出入口と面一に揃うか又は奥まって戸袋内に納まる全開位置に引戸があるとき、引戸を開方向に押し込むと、戸先側端部が戸袋の出入口から露出する引き出し位置まで押し出す押し出し手段を備えた引戸の引き出し構造であって、
押し出し手段は、引戸の戸尻側端部に設置し、
引戸を全開位置から開方向に押し込み、戸袋内で出入口と対向する戸当りに当たると、引戸の開方向への押し込み動作に応じて制動力を発生して引戸を減速する制動手段と、
制動手段による引戸の減速動作を終えると、減速した引戸の押し込み動作に応じて弾性変形して引き出し位置まで引戸を閉方向へと押し出すのに十分な復元力を蓄積する一方、引戸から手を離すと、蓄積した復元力が働いて引戸を引き出し位置へ押し出す弾性手段と、を備えることを特徴とする、引戸の引き出し構造。
【請求項２】
前記押し出し手段は、前記制動手段と前記弾性手段とを前記戸袋内の戸当りに対して並列に配置してなることを特徴とする、請求項１に記載の引戸の引き出し構造。
【請求項３】
前記押し出し手段は、前記制動手段と前記弾性手段とを前記戸袋内の戸当りに対して直列に配置してなることを特徴とする、請求項１に記載の引戸の引き出し構造。
【請求項４】
前記引戸を減速する前記制動手段の制動力を、前記引戸を引き出し位置へ押し出す前記弾性手段の復元力より小さく設定してなることを特徴とする、請求項３に記載の引戸の引き出し構造。
【発明の詳細な説明】
【技術分野】
【０００１】
本発明は、全体が戸袋内に納まった全開位置にある引戸を閉めるとき、手を掛ける引手等を有する戸先側端部が戸袋の出入口から露出する引き出し位置まで押し出す引戸の引き出し構造に関する。
【背景技術】
【０００２】
従来、開時に引戸を戸袋内に収納する構造は、最大限に通路幅を確保すると共に収納時の美観を良好にするために戸袋の出入口と引戸の戸先側端面とが面一に揃うように設計するのが一般的であるが、それでは、閉時に引戸に手を掛ける箇所がなく戸袋内から引戸を引き出すことができない。そのため、従来、全体が戸袋内に納まった全開位置にある引戸を、手を掛ける引手等を有する戸先側端部が戸袋の出入口から露出する引き出し位置まで押し出すようにした、引戸の引き出し構造が各種提案されている。
【０００３】
例えば引戸の引き出し構造の中には、特許文献１に記載のとおり、引戸の戸尻側端面又はそれに対向する戸袋内の奥側端面（戸当り）にゴムや発泡ウレタン等の弾性部材を設置し、閉時、戸袋内に収納した引戸の戸先側端面を開方向に手で押すと、その押し込み動作に従い弾性部材が弾性変形し、その弾性変形に伴って引戸が閉まる方向に弾性的な反力を生じ、この反力により引戸を戸袋から引き出すようにしたものがある。
【先行技術文献】
【特許文献】
【０００４】
【特許文献１】特開平１０−５４１７０号公報
【特許文献２】特開平１０−２６６７１３号公報
【発明の概要】
【発明が解決しようとする課題】
【０００５】
ところが、従来の引戸の引き出し構造では、引戸を開方向に押すと、弾性部材の弾性変形に基づく反力により、引戸は戸袋の出入口から飛び出るが、その後も続けて開閉方向前後に弾むように変位し、手で引戸を押えて止めない限り、そのままでは戸先側端部が戸袋の出入口から露出する引き出し位置になかなか定まらず操作性が良くないという課題がある。
【０００６】
そこで、本発明の目的は、全体が戸袋内に納まる全開位置にある引戸を、手を掛ける戸先側端部が戸袋の出入口から露出する引き出し位置に簡単な操作で引き出すことを可能にすることにある。
【０００７】
そのため、請求項１に記載の発明は、たとえば以下に示す図示実施の形態のとおり、戸先側端面１２ａが戸袋Ｗの出入口１０と面一に揃うか又は奥まって戸袋Ｗ内に納まる全開位置に引戸Ｄがあるとき、引戸Ｄを開方向Ｍに押し込むと、戸先側端部１２が戸袋Ｗの出入口１０から露出する引き出し位置まで押し出す押し出し手段Ｒを備えた引戸の引き出し構造であって、押し出し手段Ｒは、引戸Ｄの戸尻側端部１４に設置し、引戸Ｄを全開位置から開方向Ｍに押し込み、戸袋Ｗ内で出入口１０と対向する戸当り１１に当たると、引戸Ｄの閉方向への押し込み動作に応じて制動力を発生して引戸Ｄを減速するダンパ２０のような制動手段と、制動手段による引戸の減速動作を終えると、減速した引戸Ｄの押し込み動作に応じて弾性変形して引き出し位置まで引戸Ｄを閉方向へと押し出すのに十分な復元力を蓄積する一方、引戸から手を離すと、蓄積した復元力が働いて引戸Ｄを引き出し位置へ押し出す付勢ばね２５のような弾性手段と、を備えることを特徴とする。
【０００８】
請求項２に記載の発明は、請求項１に記載の発明において、たとえば以下に示す図示実施の形態のとおり、前記押し出し手段Ｒは、前記制動手段と前記弾性手段とを前記戸袋Ｗ内の戸当り１１に対して並列に配置してなることを特徴とする。
【０００９】
請求項３に記載の発明は、請求項１に記載の発明において、たとえば以下に示す図示実施の形態のとおり、前記押し出し手段Ｒ´は、前記制動手段と前記弾性手段とを前記戸袋Ｗ内の戸当り１１に対して直列に配置してなることを特徴とする。
【００１０】
請求項４に記載の発明は、請求項３に記載の発明において、たとえば以下に示す図示実施の形態のとおり、前記引戸Ｄを減速する前記制動手段の制動力を、前記引戸Ｄを引き出し位置へ押し出す前記弾性手段の復元力より小さく設定してなることを特徴とする。
【発明の効果】
【００１１】
請求項１に記載の発明によれば、引戸を、戸尻側端部が戸袋の出入口から露出する引き出し位置まで引き出すときは、引戸を開方向に押し込み、その戸尻側端面から制動開始位置に突出した制動手段が戸袋内の戸当りに当たると、引戸の押し込み動作に応じ制動手段に制動力を発生して引戸を減速し、戸当りに衝突する衝撃を事前に緩衝する一方、引戸の押し込み動作に伴い弾性手段を弾性変形し、戸先側端部が出入口から露出する引き出し位置まで引戸を押し出すのに十分な復元力を蓄積し、制動手段による引戸の減速動作を終えて、衝突する衝撃を事前に緩衝して引戸の動きを落ち着かせてから、蓄積した復元力を働かせて引戸を引き出し位置へ押し出す構成であるから、従来のように引戸が戸袋の出入口から飛び出て開閉方向前後に弾むように変位するようなことはなく、いちいち手で引戸を押えて止めなくとも引き出し位置に容易に納まり、手で戸先側端面を押すだけの簡単な操作で引戸を戸袋から引き出すことができる。
【００１２】
請求項２に記載の発明によれば、制動手段と弾性手段とを戸袋内の戸当りに対して並列に配置することにより、押し出し手段の引戸に対する設置スペースを小さくすることができる。
【００１３】
請求項３に記載の発明によれば、押し出し手段の制動手段と弾性手段とを戸袋内の戸当りに対して直列に配置することにより、制動手段がダンパであるとき、その可動ストロークをいっぱいに確保することができる。
【００１４】
請求項４に記載の発明によれば、押し出し手段Ｒ´では、引戸を減速する制動手段による制動力を、引戸を引き出し位置へ押し出す弾性手段による復元力より小さく設定することにより、引戸を開けたときに生ずる衝撃を緩衝する際に、その衝撃を吸収するための制動手段が働く前に弾性手段が働いて引戸が弾むように跳ね返ってしまうのを防止することができ、また、弾性手段が蓄積した復元力を働かせて引戸を引き出し位置へ押し出すときに、制動手段により発生する制動力が弾性手段の蓄積した復元力に影響して引戸を安定して引き出し位置へ押し出すことができなくなるのを防止することもできる。
【図面の簡単な説明】
【００１５】
【図１】本発明の一例である引戸の引き出し構造を備えた引戸構造体を引戸の全開状態で示す縦断面図である。
【図２】押し出し手段を示す分解斜視図である。
【図３】（Ａ）押し出し手段を示す平面図、（Ｂ）図Ａ中線Ｘ−Ｘ断面図である。
【図４】押し出し手段を示す組立斜視図である。
【図５】引戸を開く動作を段階的に示す縦断面図である。
【図６】引戸を減速する動作を段階的に示す縦断面図である。
【図７】引戸を戸袋内の全開位置から引き出し位置に引き出す動作を段階的に示す縦断面図である。
【図８】本発明の他例である引戸の引き出し構造を備えた引戸構造体を引戸の全開状態で示す縦断面図である。
【図９】他例の押し出し手段を示す分解斜視図である。
【図１０】（Ａ）押し出し手段を示す平面図、（Ｂ）図Ａ中線Ｙ−Ｙ断面図である。
【図１１】押し出し手段を示す組立斜視図である。
【図１２】引戸を開く動作を段階的に示す縦断面図である。
【図１３】引戸を減速する動作を段階的に示す縦断面図である。
【図１４】引戸を戸袋内の全開位置から引き出し位置に押し出す動作を段階的に示す縦断面図である。
【発明を実施するための形態】
【００１６】
以下、図面を参照しつつ、本発明の実施形態について説明する。
【００１７】
図１は、本発明の一例である引戸の引き出し構造を備えた引戸構造体を引戸の全開状態で示す縦断面図、図２は押し出し手段を示す分解斜視図である。図示例の引戸構造体は、開口部Ｓの矩形な戸枠Ｆと、戸枠Ｆに吊り込んで開口部Ｓを開閉する矩形なパネル状の引戸Ｄと、開口部Ｓを全開した引戸Ｄが収納される戸袋Ｗと、引戸Ｄを図中左右の開閉方向に案内する引戸レールとで構成する。
【００１８】
戸袋Ｗは、戸先側を開放して縦長な出入口１０を形成した扁平な矩形箱形につくられ、開口部Ｓを全開した引戸Ｄを収納する。出入口１０と対向する内側の端面には戸当り１１が形成されている。
【００１９】
引戸Ｄは、戸先側端部１２の両パネル板面側に引手や手掛け等の凹状の把手部１３を有し、上端に搭載した戸車を引戸レールに係合させて開閉方向に移動可能に吊り込み、開閉時に把手部１３に手を掛けて移動させて開口部Ｓを開閉する。特に開時、引戸Ｄを開方向Ｍに移動して戸尻側端部１４が戸袋Ｗ内の戸当り１１の手前に来るまで押し込んだとき、戸当り１１に押し出し手段Ｒを当てることにより引戸Ｄを出入口１０と戸先側端面１２ａが面一に揃う全開位置に停止するように戸袋Ｗ内に収納する。
【００２０】
そこで、本発明では、押し出し手段Ｒを引戸Ｄの戸尻側端部１４に設置する。押し出し手段Ｒは、図２に示すように、ケース１５と、ケース１５に組み込む制動手段のダンパ２０と、弾性手段の付勢ばね２５と、付勢ばね２５のばね付勢力を調整する調整ねじ３０とで構成されている。
【００２１】
ケース１５は、ともに樹脂製の収納筒１６とキャップ１７とからなる。収納筒１６は、円筒状部１６ａと、円筒状部１６ａの図中上端に開いた開口１８の周縁から鍔状に延びるフラットな固定板部１６ｂとからなる。円筒状部１６ａには、深さ方向に長い一対のガイド穴１９を向かい合わせに設け、ガイド穴１９に合わせて開口１８の縁を切り欠いて逃げ凹部１９ａを設けている。円筒状部１６ａ内には、図３に示すように、ダンパ配置部１６ｃとばね配置部１６ｄを径方向横に並べて凹設し、ばね配置部１６ｄの深さ方向下側に肉厚な受け段部１６ｅを形成する。受け段部１６ｅには、収納筒１６の深さ方向に調整ねじ３０の雌ねじ穴２４を螺設している。
【００２２】
キャップ１７は、収納筒１６の円筒状部１６ａに係合可能な大きさで、深さ方向一側を開放する一方、図２に示すように他側に突当壁１７ａを形成した円筒体からなり、その外周部１７ｂの対向部位に撓み可能な連結爪１７ｃを外向きに突設している。
【００２３】
ダンパ２０は、図２および図３に示すように、シリンダ２１と、シリンダ２１内に直線往復移動可能に配設したピストン２２と、ピストン２２を基端に固着する一方、先端２３ａをシリンダ２１内から突出させたピストンロッド２３を備える。図示例のダンパ２０は、シリンダ２１内でピストン２２が移動するときに空気を徐々に流出させることにより、勢いよく移動する引戸Ｄを制動して速度を緩める構造のエアダンパである。ダンパ２０として、シリンダ２１内でピストン２２が移動すると、それらの間隙を通るオイルの粘性抵抗により、勢いよく移動する引戸Ｄを制動して速度を緩める構造のオイルダンパなどを用いてもよい。
【００２４】
付勢ばね２５は、圧縮コイルばねで、コイル基端２５ａをばね受け２６の中心凸部２６ａに係合した状態で収納筒１６内のばね配置部１６ｄの深さ方向に移動可能に配置する。ダンパ２０は、ピストンロッド２３の先端２３ａが開口１８から突出する方向に向けて、付勢ばね２５と並列してダンパ配置部１６ｃに配置する。
【００２５】
押し出し手段Ｒは、組み立てるとき、キャップ１７の連結爪１７ｃをいったん内向きに撓ませてから、それぞれ開口１８の逃げ凹部１９ａに通してキャップ１７を収納筒１６に嵌合すると、連結爪１７ｃが外向きに弾性復帰してガイド穴１９に係合し、キャップ１７を収納筒１６に対してガイド穴１９の長さ方向に移動自在に嵌着する。すると、押し出し手段Ｒは、ダンパ２０が非動作状態のときシリンダ２１内から最も突出するピストンロッド２３の先端２３ａが突当壁１７ａに突き当り、キャップ１７を、収納筒１６の開口１８から所定長さＬ突出した制動開始位置に位置決め保持する一方、調整ねじ３０を収納筒１６の雌ねじ穴２４に螺合し、調整ねじ３０のねじ込み量に応じて、ばね配置部１６ｄにおける付勢ばね２５の配置位置を深さ方向に移動してばね付勢力を調整できるように組み立ててなる（図４参照）。
【００２６】
押し出し手段Ｒは、調整ねじ３０をねじ回してばね受け２６ごと付勢ばね２５をばね配置部１６ｄの深さ方向に移動し、ばね配置部１６ｄにおける配置位置を調整してから、図５（Ａ）に示すように、引戸Ｄの戸尻側端部１４に予め凹設した取付穴３１に、キャップ１７を戸尻側に向けた状態で嵌め込み、ケース１５の固定板部１６ｂを戸尻側端面１４ａに固定して引戸Ｄの戸尻側端部１４に設置する。
【００２７】
そこで、押し出し手段Ｒは、図３（Ｂ）および図５（Ａ）に示すように、ダンパ２０を、非動作状態のときはケース１５のキャップ１７が収納筒１６の開口１８から所定長さＬ突出した制動開始位置に位置決め保持する。一方、ダンパ２０が動作状態のときにピストンロッド２３全体がシリンダ２１内に押し込まれ、無圧縮状態のコイル先端２５ｂにキャップ１６の突当壁１７ａが押し当ると、付勢ばね２５が圧縮変形を開始するように、付勢ばね２５を、ばね配置部１６ｄにおいてコイル先端２５ｂがシリンダ２１の前端面２１ａから所定長さｒだけ突出した位置に配置する。従って、付勢ばね２５は、コイル先端２５ｂがキャップ１７の突当壁１７ａを介して戸袋Ｗ内の戸当り１１が押し当たると、引戸Ｄの押し込み動作に伴いコイル先端２５ｂが所定長さｒだけ圧縮変形し、戸先側端部１２が出入口１０から露出する引き出し位置まで、引戸Ｄを閉方向Ｎに押し出すのに十分な復元力を蓄積する一方、ダンパ２０による引戸Ｄの減速動作を終えたとき、蓄積した復元力が働いて引戸Ｄを引き出し位置へ押し出す構成になっている。
【００２８】
そこで、引戸Ｄを開けるときは、把手部１３に手を掛けて引戸Ｄを開方向Ｍに引くと、引戸レールの案内で戸車を転動しながら、図５（Ａ）に示すように引戸Ｄが動き出して開口部Ｓを開放し、それから、図５（Ｂ）に示すように、ダンパ２０による制動開始位置に突出したキャップ１７が戸袋Ｗの戸当り１１に当たると、図６（Ａ）に示すようにダンパ２０が始動し、引戸Ｄが開方向Ｍに移動するに従いピストン２２がシリンダ２１内で奥側に押し込まれると、ダンパ２０に空気抵抗による制動力を発生して引戸Ｄを徐々に減速しながら、ゆっくり静かに開成させて戸当り１１に衝突する衝撃を吸収してから、図６（Ｂ）に示すように、ダンパ２０の空気圧縮に伴って生ずる反力により引戸Ｄを閉方向Ｎに押し戻して全開位置に停止する。
【００２９】
そのとき、本発明の引戸の引き出し構造において、戸袋Ｗの出入口１０から戸当り１１へ至る奥行寸法ｘは、ダンパ２０が非動作状態のときに引戸Ｄの戸尻側端面１４ａから突出した押し出し手段Ｒの長さｙと、引戸Ｄの幅寸法ｚとを加えた寸法と略同一に設定し、これにより、引戸Ｄを開けて全開位置に停止すると、戸先側端面１２ａを戸袋Ｗの出入口１０に面一に揃えて引戸Ｄを戸袋Ｗ内に収納することができるので、引戸Ｄの収納時の美観を良好にすると共に、十分な有効開口寸法を確保でき、最大限に通路幅を確保することができる。
【００３０】
反面、本発明の引戸の引き出し構造では、そのように引戸Ｄが全開位置にあるときは、把手部１３が戸袋Ｗ内に入り込んで手を掛けられない状態にあるため、引戸Ｄを閉止するときは、把手部１３を備えた戸先側端部１２が戸袋Ｗの出入口１０から露出する引き出し位置まで、引戸Ｄを押し出し手段Ｒによって押し出す。
【００３１】
そのため、出入口１０と面一に揃った引戸Ｄの戸先側端面１２ａに手を当て、図７（Ａ）に示すように、引戸Ｄを全開位置から開方向Ｍに押し込み、引戸Ｄの戸尻側端面１４ａから制動開始位置に突出した押し出し手段Ｒのキャップ１７が戸袋Ｗ内の戸当り１１に当たると、引戸Ｄの開方向Ｍへの押し込み動作に応じ、ダンパ２０に制動力を発生して引戸Ｄを減速し、ゆっくり開成させて戸当り１１に衝突する衝撃を吸収する。そのとき、付勢ばね２５は、無圧縮状態のコイル先端２５ｂがシリンダ２１の前端面２１ａより所定長さｒだけ突出した弾発位置にあるため、コイル先端２５ｂがキャップ１７の突当壁１７ａに当たると、引戸Ｄの押し込み動作に伴い圧縮変形する一方、閉方向Ｎに生ずる反力がばねの復元力として蓄積し、図７（Ｂ）に示すように、シリンダ２１の前端面２１ａにキャップ１７の突当壁１７ａが押し当ってダンパ２０による引戸Ｄの減速動作を終えたところで、引戸Ｄから手を離すと、ばねの復元力が働いて、引戸Ｄを、図７（Ｃ）に示すように、把手部１３を備えた戸先側端部１２が戸袋Ｗの出入口１０から露出する引き出し位置まで押し出す。
【００３２】
従って、本発明の引戸の引き出し構造において、引戸Ｄを、把手部１３が戸袋Ｗ内に入り込んで手を掛けられない状態になる全開位置から、戸袋Ｗの出入口１０から露出する引き出し位置まで引き出すときは、引戸Ｄを開方向Ｍに押し込み、その戸尻側端面１４ａから制動開始位置に突出したダンパ２０のキャップ１７が戸袋Ｗ内の戸当り１１に当たると、引戸Ｄの押し込み動作に応じダンパ２０に制動力を発生して引戸Ｄを減速し、戸当り１１に衝突する衝撃を事前に緩衝する一方、引戸Ｄの押し込み動作に伴い付勢ばね２５を圧縮変形し、戸先側端部１２が出入口１０から露出する引き出し位置まで引戸Ｄを押し出すのに十分な復元力を蓄積し、ダンパ２０による引戸Ｄの減速動作を終えて、衝突する衝撃を事前に緩衝して引戸Ｄの動きを落ち着かせてから、蓄積した復元力を働かせて引戸Ｄを引き出し位置へ押し出す構成であるから、従来のように引戸が戸袋の出入口から飛び出て開閉方向前後に弾むように変位するようなことはなく、いちいち手で引戸を押えて止めなくとも引き出し位置に容易に納まり、手で戸先側端面１２ａを押すだけの簡単な操作で引戸を戸袋から引き出すことができる。
【００３３】
更に、本発明の引戸の引き出し構造によれば、押し出し手段Ｒを引戸Ｄの戸尻側端部１４に設置するから、修理や部品交換や清掃などメンテナンスは、戸袋Ｗから引戸Ｄを引き出せば簡単に行うことができる。
【００３４】
ところで、上述した第１の実施形態では、押し出し手段Ｒは、制動手段のダンパ２０と弾性手段の付勢ばね２５を並列に配置して構成したが、以下に示す第２の実施形態のように直列に配置して構成することもできる。尚、第２の実施形態において、第１の実施形態と同一の構成については同じ符号付して説明する。図８は、本発明の他例である引戸の引き出し構造を備えた引戸構造体を引戸の全開状態で示す縦断面図、図９は押し出し手段を示す分解斜視図である。
【００３５】
第２の実施形態において、押し出し手段Ｒ´のケース３５は、ともに樹脂製の収納筒３６とキャップ３７からなるが、収納筒３６の円筒状部３６ａを細長く形成し、円筒状部３６ａ内には、図１０に示すように、ダンパ配置部３６ｃとばね配置部３６ｄを長手の深さ方向に並べて設け、ばね配置部３６ｄの深さ方向下側に有する肉厚な底部３６ｅに調整ねじ３０の雌ねじ穴２４を螺設している。
【００３６】
そこで、付勢ばね２５は、コイル基端２５ａをばね受け２６の中心凸部２６ａに係合した状態で収納筒３６内のばね配置部３６ｄ内に長手の深さ方向に伸縮可能に挿入する。ダンパ２０は、ピストンロッド２３の先端２３ａが開口１８から突出する方向に向けて、付勢ばね２５の深さ方向上方にシリンダ２１を載せて付勢ばね２５と直列にダンパ配置部３６ｃ内に挿入する。押し出し手段Ｒ´は、組み立てるとき、キャップ３７の連結爪３７ｃをいったん内向きに撓ませてから、それぞれ開口１８の逃げ凹部１９ａに通してキャップ３７を収納筒３６に嵌合すると、連結爪３７ｃが外向きに弾性復帰してガイド穴１９に係合し、キャップ３７を収納筒３６に対してガイド穴１９の長さ方向に移動自在に嵌着する。すると、押し出し手段Ｒ´は、ダンパ２０が非動作状態のときシリンダ２１内から最も突出するピストンロッド２３の先端２３ａが突当壁３７ａに突き当り、キャップ３７を、収納筒３６の開口１８から所定長さＬ突出した制動開始位置に位置決め保持する一方、調整ねじ３０を収納筒３６の雌ねじ穴２４に螺合し、調整ねじ３０のねじ込み量に応じて、ダンパ２０の下で付勢ばね２５の圧縮量を調節してばね付勢力を調整できるように組み立ててなる（図１１参照）。
【００３７】
そこで、押し出し手段Ｒ´は、図１０（Ｂ）および図１２（Ａ）に示すように、ダンパ２０を、非動作状態のときはケース３５のキャップ３７が収納筒３６の開口１８から所定長さＬ突出した制動開始位置に位置決め保持する。一方、ダンパ２０が動作状態のときにピストンロッド２３全体がシリンダ２１内に押し込まれて動作を終えたとき、無圧縮状態のコイル先端２５ｂがシリンダ２１の後端面２１ｂに押されて圧縮変形を開始するように、付勢ばね２５を、調整ねじ３０で圧縮量を調整してばね配置部３６ｄに配置している。従って、付勢ばね２５は、ダンパ２０を介して戸袋Ｗ内の戸当り１１が押し当たると、引戸Ｄの押し込み動作に伴い圧縮変形し、戸先側端部１２が出入口１０から露出する引き出し位置まで引戸Ｄを閉方向Ｎに押し出すのに十分な復元力を蓄積する一方、ダンパ２０による引戸Ｄの減速動作を終えたとき、蓄積した復元力が働いて引戸Ｄを引き出し位置へ押し出す構成になっている。
【００３８】
そこで、引戸Ｄを開けるときは、把手部１３に手を掛けて引戸Ｄを開方向Ｍに引くと、図１２（Ａ）に示すように、引戸が動き出して開口部Ｓを開放し、それから、図１２（Ｂ）に示すように、ダンパ２０による制動開始位置に突出したキャップ３７が戸袋Ｗの戸当り１１に当たると、図１３（Ａ）に示すようにダンパ２０が始動し、引戸Ｄが開方向Ｍに移動するに従いピストン２２がシリンダ２１内で奥側に押し込まれると、ダンパ２０に空気抵抗による制動力を発生して引戸Ｄを減速しながら、ゆっくり静かに開成させて戸当り１１に衝突する衝撃を吸収してから、図１３（Ｂ）に示すように、ダンパ２０の空気圧縮に伴って生ずる反力により引戸Ｄを閉方向Ｎに押し戻して全開位置に停止する。
【００３９】
さて、引戸Ｄを閉止するため、把手部１３を備えた戸先側端部１２が戸袋Ｗの出入口１０から露出する引き出し位置まで、引戸Ｄを押し出し手段Ｒ´によって引き出すときは、出入口１０と面一に揃った引戸Ｄの戸先側端面１２ａに手を当て、図１４（Ａ）に示すように、引戸Ｄを全開位置から開方向Ｍに押し込み、その引戸Ｄの戸尻側端面１４ａから制動開始位置に突出したキャップ３７が戸袋Ｗ内の戸当り１１に押し当たると、引戸Ｄの開方向Ｍへの押し込み動作に応じ、ダンパ２０に制動力を発生して引戸Ｄを減速しながら、ゆっくり開成させて戸当り１１に衝突する衝撃を緩衝する。そのとき、付勢ばね２５は、戸袋Ｗ内の戸当り１１に押されてピストンロッド２３全体がシリンダ２１内に押し込まれ、ダンパ２０による引戸Ｄの減速動作を終えると、図１４（Ｂ）に示すように、シリンダ２１の後端面２１ｂに押されて圧縮変形を開始し、更に引戸Ｄの押し込み動作に従って圧縮変形する一方、戸先側端部１２が戸袋Ｗの出入口１０から露出する引き出し位置まで、引戸Ｄを閉方向Ｎに押し出すのに十分な復元力を蓄積し、シリンダ２１の前端面２１ａにキャップ３７の突当壁３７ａが押し当ったところで、引戸Ｄから手を離すと、ばねの復元力が働いて、引戸Ｄを、図１４（Ｃ）に示すように、把手部１３を備えた戸先側端部１２が戸袋Ｗの出入口１０から露出する引き出し位置まで押し出す。
【００４０】
なお、第２の実施形態において、押し出し手段Ｒ´では、引戸Ｄを減速する制動手段のダンパ２０による制動力を、引戸Ｄを引き出し位置へ押し出す弾性手段の付勢ばね２５による復元力より小さく設定する構成であることが望ましい。これにより、引戸Ｄを開けたときに生ずる衝撃を緩衝する際に、その衝撃を吸収するためのダンパ２０が働く前に付勢ばね２５が働いて引戸Ｄが弾むように跳ね返ってしまうのを防止することができ、また、付勢ばね２５が蓄積した復元力を働かせて引戸Ｄを引き出し位置へ押し出すときに、ダンパ２０により発生する制動力が付勢ばね２５の蓄積した復元力に影響して引戸Ｄを安定して引き出し位置へ押し出すことができなくなるのを防止することもできる。
【００４１】
従って、第２の実施形態の引き出し構造において、引戸Ｄを、把手部１３が戸袋Ｗ内に入り込んで手を掛けられない状態になる全開位置から、戸袋Ｗの出入口１０から露出する引き出し位置まで引戸Ｄを引き出すときは、引戸Ｄを開方向Ｍに押し込み、その戸尻側端面１４ａから制動開始位置に突出したダンパ２０のキャップ３７が戸袋Ｗ内の戸当り１１に当たると、引戸Ｄの開方向Ｍへの押し込み動作に応じダンパ２０に制動力を発生して引戸Ｄを減速し、戸当り１１に衝突する衝撃を事前に緩衝する一方、引戸Ｄの押し込み動作に伴い付勢ばね２５を圧縮変形し、戸先側端部１２が出入口１０から露出する引き出し位置まで引戸Ｄを押し出すのに十分な復元力を蓄積し、ダンパ２０による引戸Ｄの減速動作を終えて、衝突する衝撃を事前に緩衝して引戸Ｄの動きを落ち着かせてから、蓄積した復元力を働かせて引戸Ｄを引き出し位置へ押し出す構成であるから、従来のように引戸Ｄが戸袋Ｗの出入口１０から飛び出て開閉方向前後に弾むように変位するようなことはなく、いちいち手で引戸Ｄを押えて止めなくとも引き出し位置に容易に納まり、手で戸先側端面１２ａを押すだけの簡単な操作で引戸Ｄを戸袋Ｗから引き出すことができる。
【００４２】
ところで、上述した第１の実施形態において、弾性手段は、付勢ばね２５であったが、弾性材であれば、ゴムや発泡プラスチック系などを用いることもできる。
【符号の説明】
【００４３】
Ｄ                引戸
Ｒ・Ｒ´          押し出し手段
Ｓ                開口部
Ｗ                戸袋
１０              戸袋の出入口
１１              戸袋の戸当り
１２              引戸の戸先側端部
１２ａ            戸先側端面
１３              把手部
２０              ダンパ（制動手段）
２５              付勢ばね（弾性手段）
【要約】
【課題】全体が戸袋内に納まる全開位置にある引戸を、手を掛ける戸先側端部が戸袋の出入口から露出する引き出し位置に簡単な操作で引き出す。
【解決手段】押し出し手段Ｒは、引戸Ｄの戸尻側端部１４に設置し、戸袋Ｗ内で出入口１０と対向する戸当り１１に当たると、引戸の押し込み動作に応じて制動力を発生して引戸を減速する制動手段のダンパ２０と、引戸の押し込み動作に応じて弾性変形して引き出し位置まで引戸を押し出すのに十分な復元力を蓄積する一方、ダンパ２０による引戸の減速動作を終えると、蓄積した復元力が働いて引戸を引き出し位置へ押し出す弾性手段の付勢ばね２５とを備えた構成になっている。
【選択図】          図１【図１】
0005386049.tif 000002
【図２】
0005386049.tif 000003
【図３】
0005386049.tif 000004
【図４】
0005386049.tif 000005
【図５】
0005386049.tif 000006
【図６】
0005386049.tif 000007
【図７】
0005386049.tif 000008
【図８】
0005386049.tif 000009
【図９】
0005386049.tif 000010
【図１０】
0005386049.tif 000011
【図１１】
0005386049.tif 000012
【図１２】
0005386049.tif 000013
【図１３】
0005386049.tif 000014
【図１４】
0005386049.tif 000015